(57)【特許請求の範囲】
【請求項１】
椅子の背もたれ部に対して可動する枕部と、
前記背もたれ部側に連結された可動第１アーム部と、
前記可動第１アーム部に連結されて前記枕部が連結された可動第２アーム部と、
前記可動第１アーム部の動きを停止させる第１ロック部と、
前記可動第２アーム部の動きを停止させる第２ロック部と、
前記第１ロック部および前記第２ロック部を同時に連動させる連動部と、
前記連動部を連動させる駆動部と、が備えられ、
前記駆動部が単一のシリンダーであり、
前記連動部が、前記シリンダーのピストンに連結されて偏心部が備えられたシャフトである、
ことを特徴とする枕位置固定装置。
【請求項２】
椅子の背もたれ部に対して可動する枕部と、
前記背もたれ部側に連結された可動第１アーム部と、
前記可動第１アーム部に連結されて前記枕部が連結された可動第２アーム部と、
前記可動第１アーム部の動きを停止させる第１ロック部と、
前記可動第２アーム部の動きを停止させる第２ロック部と、
前記第１ロック部および前記第２ロック部を同時に連動させる連動部と、
前記連動部を連動させる駆動部と、
前記可動第１アーム部に備えられて前記第１ロック部に連結された第１アーム軸部と、
前記可動第２アーム部に備えられて前記第２ロック部に連結された第２アーム軸部と、が備えられ、
前記第２ロック部が、
前記第２アーム軸部を把持する把持部と、
前記把持部に連接されて前記把持部を開閉するフランジ部と、
前記フランジ部を貫通して備えられ、前記連動部に連動し、前記フランジに対して移動することで前記把持部を開閉するロックガイド部と、から構成され、
前記第２ロック部が前記背もたれ部に備えられ、
前記第１アーム軸部が前記第１ロック部によって把持されると共に、前記第２アーム軸部が前記第２ロック部によって把持される、
ことを特徴とする枕位置固定装置。
【請求項３】
椅子の背もたれ部に対して可動する枕部と、
前記背もたれ部側に連結された可動第１アーム部と、
前記可動第１アーム部に連結されて前記枕部が連結された可動第２アーム部と、
前記可動第１アーム部の動きを停止させる第１ロック部と、
前記可動第２アーム部の動きを停止させる第２ロック部と、
前記第１ロック部および前記第２ロック部を同時に連動させる連動部と、
前記連動部を連動させる駆動部と、
前記可動第１アーム部に備えられて前記第１ロック部に連結された第１アーム軸部と、
前記可動第２アーム部に備えられて前記第２ロック部に連結された第２アーム軸部と、が備えられ、
前記第１アーム軸部と前記第２アーム軸部とが同一軸上に備えられ、
前記可動第２アーム部が、
前記第２アーム軸部に連結された平行リンクと、
前記平行リンクが連結されると共に、前記可動第１アーム部における前記第１アーム軸部の反対側に連結された連結軸部と、
前記連結軸部に連結された第２アーム本体部と、から構成され、
前記第１アーム軸部が前記第１ロック部によって把持されると共に、前記第２アーム軸部が前記第２ロック部によって把持される、
ことを特徴とする枕位置固定装置。
【請求項４】
前記可動第１アーム部に備えられて前記第１ロック部に連結された第１アーム軸部と、
前記可動第２アーム部に備えられて前記第２ロック部に連結された第２アーム軸部と、が備えられ、
前記第１アーム軸部が前記第１ロック部によって把持されると共に、前記第２アーム軸部が前記第２ロック部によって把持される、
ことを特徴とする請求項１に記載された枕位置固定装置。
【請求項５】
前記駆動部が単一のシリンダーであり、
前記連動部が、前記シリンダーのピストンに連結されて偏心部が備えられたシャフトである、
ことを特徴とする請求項２または請求項３に記載された枕位置固定装置。
【請求項６】
請求項１から請求項５のいずれか１項に記載された枕位置固定装置が備えられた、
ことを特徴とする耳鼻科用診療椅子。
【発明の詳細な説明】
【技術分野】
【０００１】
本発明は、例えば医療施設などで用いられる診療椅子に備えられた枕位置固定装置および耳鼻科用診療椅子に関するものである。
【背景技術】
【０００２】
従来、医療施設などにおいて治療を受ける際に患者が着座する診療椅子は、患者の姿勢に合わせて枕を様々な位置や角度に調節するための機構が備えられている。この様な機構が備えられたものとして、下記特許文献１に記載された椅子のヘッドレスト装置がある。
【０００３】
椅子のヘッドレスト装置は、バックレストとヘッドレストとがアームを介して連結され、このアームが第１アームと第２アームとから構成されている。第１アームと第２アームは連動するため、第１アームの角度の変化に応じて第２アームの角度が変化する。すなわち、ヘッドレストを理想的な位置に設定しておき、各アームを連動させることで、各アームの変化を一定とすれば、ヘッドレストを常に理想的な位置に変化させることができる。
【先行技術文献】
【特許文献】
【０００４】
【特許文献１】特開平３−２３６８４１号公報
【発明の概要】
【発明が解決しようとする課題】
【０００５】
しかし、特許文献１に記載された椅子のヘッドレスト装置によれば、上記したとおり、第１アームと第２アームとが連動するため、それぞれのアームの角度の変化が一定であり、ヘッドレストを任意の位置に配置することができない。すなわち、様々な体格や姿勢の患者がいるところ、その様な患者に合わせた位置にヘッドレストを配置することができない。
【０００６】
本発明は、上記の実情に鑑みて提案されたものである。すなわち、連結された各アーム部を別々に作動させ、また、各アーム部の動きを同時に停止することで、枕部を任意の位置に配置することができる枕位置固定装置および耳鼻科用診療椅子の提供を目的とする。
【課題を解決するための手段】
【０００７】
上記目的を達成するために、本発明に係る枕位置固定装置は、椅子の背もたれ部に対して可動する枕部と、前記背もたれ部側に連結された可動第１アーム部と、前記可動第１アーム部に連結されて前記枕部が連結された可動第２アーム部と、前記可動第１アーム部の動きを停止させる第１ロック部と、前記可動第２アーム部の動きを停止させる第２ロック部と、前記第１ロック部および前記第２ロック部を同時に連動させる連動部と、前記連動部を連動させる駆動部と、が備えられた、ことを特徴とする。
【０００８】
本発明に係る枕位置固定装置は、前記駆動部および前記連動部が、前記椅子の背もたれの背面に備えられた、ことを特徴とする。
【０００９】
本発明に係る枕位置固定装置は、前記可動第１アーム部に備えられて前記第１ロック部に連結された第１アーム軸部と、前記可動第２アーム部に備えられて前記第２ロック部に連結された第２アーム軸部と、が備えられ、前記第１アーム軸部が前記第１ロック部によって把持されると共に、前記第２アーム軸部が前記第２ロック部によって把持される、ことを特徴とする。
【００１０】
本発明に係る枕位置固定装置は、前記第２ロック部が、前記第２アーム軸部を把持する把持部と、前記把持部に連接されて前記把持部を開閉するフランジ部と、前記フランジ部を貫通して備えられ、前記連動部に連動して前記フランジに対して移動することで前記把持部を開閉するロックガイド部と、から構成され、前記第２ロック部が前記背もたれ部に備えられた、ことを特徴とする。
【００１１】
本発明に係る枕位置固定装置は、前記第１アーム軸部と前記第２アーム軸部とが同一軸上に備えられ、前記可動第２アーム部が、前記第２アーム軸部に連結された平行リンクと、前記平行リンクが連結されると共に、前記可動第１アーム部における前記第１アーム軸部の反対側に連結された連結軸部と、前記連結軸部に連結された第２アーム本体部と、から構成された、ことを特徴とする。
【００１２】
本発明に係る枕位置固定装置は、前記駆動部が単一のシリンダーであり、前記連動部が、前記シリンダーのピストンに連結されて偏心部が備えられたシャフトである、ことを特徴とする。
【００１３】
本発明に係る枕位置固定装置は、前記枕部の両端に前記駆動部を駆動させるスイッチが備えられた、ことを特徴とする。
【００１４】
本発明に係る耳鼻科用診療椅子は、枕位置固定装置が備えられた、ことを特徴とする。
【発明の効果】
【００１５】
本発明に係る枕位置固定装置は上記した構成である。すなわち、可動第１アーム部と可動第２アーム部とが別々に作動し、各アーム部の動きが別々のロック部によって同時に停止する。したがって、連結された各アーム部を別々に作動させると共に、単一の駆動部で各アーム部の動きを同時に停止することで、枕部を任意の位置に配置することができる。
【００１６】
本発明に係る枕位置固定装置は、駆動部および連動部が、椅子の背もたれの背面に備えられている。すなわち、各部が背もたれ部に備えられたことによって、枕部の周辺を小型に設計することができる。したがって、医者や看護師が、患者の頭部を支える場合などにおいて椅子の周囲で作業をし易くすることができる。
【００１７】
本発明に係る枕位置固定装置は、可動第１アーム部に備えられて第１ロック部に連結された第１アーム軸部と、可動第２アーム部に備えられて第２ロック部に連結された第２アーム軸部と、が備えられ、第１アーム軸部が第１ロック部によって把持されると共に、第２アーム軸部が第２ロック部によって把持される。この構成により、各アーム軸部が任意の角度で把持されると共に各アーム部の動きが任意の位置で停止する。したがって、枕部を任意の位置に配置することができ、細かい微調整が可能となる。
【００１８】
本発明に係る枕位置固定装置は、第２ロック部が、第２アーム軸部を把持する把持部と、把持部に連接されて把持部を開閉するフランジ部と、フランジ部を貫通して備えられ、連動部に連動し、フランジに対して移動することで把持部を開閉するロックガイド部とから構成されて背もたれ部に備えられている。すなわち、連動部に連動したロックガイド部がフランジ部に対して移動することで把持部が開閉する。そのため、連動部に連動して第２アーム軸部が第２ロック部によって把持され、可動第２アーム部の動きが停止する。したがって、枕部を任意の位置に配置することができる。
【００１９】
本発明に係る枕位置固定装置は、第１アーム軸部と第２アーム軸部とが同一軸上に備えられ、可動第２アーム部が、第２アーム軸部に連結された平行リンクと、平行リンクが連結されると共に、可動第１アーム部における第１アーム軸部の反対側に連結された連結軸部と、連結軸部に連結された第２アーム本体部と、から構成されている。すなわち、可動第２アーム部の第２アーム軸部と、可動第１アーム部の第１アーム軸部とが同一軸上に配置され、各アーム部が互いに連結されてそれぞれが任意に作動する。このことにより、連結された各アーム部を別々に作動させることができる。また、省スペース化を実現することができ、枕部の周辺を小型に設計することができる。したがって、医者や看護師が、患者の頭部を支える場合などにおいて椅子の周囲で作業をし易くすることができる。
【００２０】
本発明に係る枕位置固定装置は、駆動部が単一のシリンダーであり、連動部が、シリンダーのピストンに連結されて偏心部が備えられたシャフトである。この構成により、シャフトの偏心部によって第１ロック部と第２ロック部とが同時に連動する。したがって、各アーム部の動きを単一の駆動部で同時に停止することで、枕部を任意の位置に配置することができる。
【００２１】
本発明に係る枕位置固定装置は、枕部の両端に駆動部を駆動させるスイッチが備えられている。この構成により、医者や看護師が枕部を手で把持して駆動部のスイッチを操作しながら可動させることができる。したがって、作業をし易くすることができる。
【００２２】
本発明に係る耳鼻科用診療椅子は、枕位置固定装置が備えられている。したがって、上記した効果と同様の効果を生じさせることができる。
【図面の簡単な説明】
【００２３】
【図１】本発明の実施形態に係る耳鼻科用診療椅子の外観が示され、（ａ）が左側面から視した左側面図、（ｂ）が背面から視した背面斜視図である。
【図２】本発明の実施形態に係る枕位置固定装置の外観が示され、（ａ）が背面から視した背面図、（ｂ）が右側面から視した右側面図である。
【図３】本発明の実施形態に係る枕位置固定装置の外観が示され、（ａ）が上方側から視した上方斜視図、（ｂ）が下方側から視した下方斜視図である。
【図４】本発明の実施形態に係る枕位置固定装置の断面が示され、（ａ）が右側面Ａ−Ａ断面図、（ｂ）が右側面Ｂ−Ｂ断面図である。
【図５】本発明の実施形態に係る枕位置固定装置が分解され、（ａ）がアーム部の左側面図、（ｂ）が右側面図である。
【図６】本発明の実施形態に係る枕位置固定装置の可動第１アーム部および可動第２アーム部が分解された分解斜視図である。
【図７】本発明の実施形態に係る枕位置固定装置の動作が示され、（ａ）がロック部が作動して可動第１アーム部および可動第２アーム部が停止した状態の右側面図、（ｂ）が可動第１アーム部および可動第２アーム部の停止が解除された状態の右側面図である。
【発明を実施するための形態】
【００２４】
以下に、本発明の実施形態に係る枕位置固定装置および耳鼻科用診療椅子を図面に基づいて説明する。図１は、本発明の実施形態に係る耳鼻科用診療椅子５０の外観が示されている。図２および図３は、本発明の実施形態に係る枕位置固定装置１０の外観が示され、図４は、枕位置固定装置１０の断面が示されている。
【００２５】
図１に示されているとおり、本発明の実施形態に係る耳鼻科用診療椅子５０は、患者が着座する座部５１と、この座部５１の端から立ち上がった背もたれ部本体５２と、この背もたれ部本体５２に内蔵されて背もたれ部本体５２に対する枕部２の位置を自在に変化させると共に任意の位置で固定する枕位置固定装置１０とが備えられている。
【００２６】
＜枕位置固定装置＞
図２から図４に示されているとおり、本発明の実施形態に係る枕位置固定装置１０は、背もたれ本体部５２のフレームである背もたれ部１に対して可動する枕部２（図４参照）と、背もたれ部１側に連結された可動第１アーム部１１と、この可動第１アーム部１１に連結されて枕部２が連結された可動第２アーム部１２と、可動第１アーム部１１の動きを停止させる第１ロック部２７と、可動第２アーム部１２の動きを停止させる第２ロック部２８と、各ロック部２７，２８を同時に連動させる連動部としての偏心シャフト４２と、この偏心シャフト４２を連動させる駆動部としてのシリンダー４４とが備えられている。シリンダー４４を駆動させるスイッチ（図示省略）は、例えば、枕部２の両端や、医者の足元近辺に備えられている。
【００２７】
なお、以下の説明では、図２（ａ）に基づいて、背もたれ部１の裏側を背面とし、背もたれ部１の表側を正面とし、耳鼻科用診療椅子５０の設置面に対して垂直方向を上下とする。また、耳鼻科用診療椅子５０の側面側をそれぞれ右側（図２（ｂ）参照）、左側とする。
【００２８】
背もたれ部１は長方形のフレームであり、シリンダー４４と、このシリンダー４４のピストン部材４６に連結された偏心シャフト４２と、この偏心シャフト４２に連動する第１ロック部２７および第２ロック部２８とが、背面に備えられている。偏心シャフト４２と各ロック部２７，２８とは、間に仕切板３が取り付けられて仕切られている。仕切板３の下面は、下方に向けて突出する突出部５が取りつけられている。
【００２９】
＜駆動部（シリンダー）＞
シリンダー４４は、例えば油圧式や空圧式であり、ピストン部材４６が上方に向けて移動する向きで、背もたれ部１のほぼ中央に配置されている。シリンダー部材４５は、背もたれ部１に対して回転自在に支持されている。一方、ピストン部材４６の先端は、連結部材４１が連結され、この連結部材４１を介して偏心シャフト４２が連結されている。連結部材４１は、平板状であってピストン部材４６が取り付けられる孔と偏心シャフト４２が挿入される孔とが形成されている。
【００３０】
＜連動部（偏心シャフト）＞
偏心シャフト４２は、偏心部４３が備えられ（図４参照）、シリンダー４４に対して交差する方向に配置されて連結部材４１に取り付けられている。なお、偏心シャフト４２は、例えば、カムが取り付けられたカムシャフトなど、部分的に偏心したものであってもよい。
【００３１】
偏心シャフト４２の左端側の上方は、第１ロック部２７が配置され、一方、右端側の上方は、第２ロック部２８が配置されている。各ロック部２７，２８の間には、可動第１アーム部１１および可動第２アーム部１２が互いに連結して配置され、可動第１アーム部１１が第１ロック部２７に連結され、可動第２アーム部１２が第２ロック部２８に連結されている。
【００３２】
ここで、第１ロック部２７および第２ロック部２８と、可動第１アーム部１１および可動第２アーム部１２を図面に基づいて詳説する。図５は、本発明の実施形態に係る枕位置固定装置１０が分解されて各ロック部２７，２８が示されている。図６は、本発明の実施形態に係る枕位置固定装置１０の各アーム部１１，１２が分解されて示されている。なお、第１ロック部２７と第２ロック部２８とは、ほぼ同じ構成であるため、以下では第２ロック部２８についてのみ説明し、第１ロック部２７の説明を省略する。
【００３３】
＜ロック部＞
図５および図６に示されているとおり、第２ロック部２８は、ロック本体部２９とロックガイド部３５とから構成されている。ロック本体部２９は、第２アーム軸部１４（第２アーム軸部１４については後述する。）を把持する把持部３０と、この把持部３０に連接されて把持部３０を開閉するフランジ部３１とが備えられている。一方、ロックガイド部３５は、コイル状のバネ部３６が取り付けられている。ロックガイド部３５は、バネ部３６の内側を貫通すると共にバネ部３６を挟んでフランジ部３１を貫通し、偏心シャフト４２に連動してフランジ部３１に対して移動することで把持部３０を開閉するものである（図４参照）。
【００３４】
ロック本体部２９の把持部３０は、側面から視してほぼ“Ｃ字”状に形成されている。把持部３０は、“Ｃ字”状の内側に形成された空隙に、第２アーム軸部１４が取り付けられ、第２アーム軸部１４の外周面に密接している。また、“Ｃ字”状のうち、正面（図５（ｂ）において右側）に向けて開放された側は、一対のフランジ部３１が連接されている。一対のフランジ部３１は、下方側フランジ部３３と上方側フランジ部３２とがそれぞれ板状に形成されて互いに対面している。下方側フランジ部３３は、左右側方に向けて取付片３４が形成されている。ロック本体部２９は、下方側フランジ部３３側に向けて上方から上方側フランジ部３２に力が加えられると、上方側フランジ部３２が撓んで下方側フランジ部３３に近接すると共に把持部３０が閉じられる。一方、上方側フランジ部３２に加えられた力が解除されると、把持部３０が弾性変形して上方側フランジ部３２は元の状態に戻る。
【００３５】
なお、第１ロック部２７は、把持部１３０の“Ｃ字”状の内側に形成された空隙が、第２ロック部２８と比較して大きく形成され（図６参照）、また、第１アーム軸部１３（第１アーム軸部１３については後述する。）が把持部１３０で把持されている。他の構成は第２ロック部２８と同じである。
【００３６】
ロックガイド部３５は、ほぼ円柱の棒状であり、偏心シャフト４２に接触する側である下方部３７が、ロック本体部２９の各フランジ部３２，３３に貫通する側である上方部３８よりも太く形成されている。すなわち、ロックガイド部３５は、上方部３８の直径が下方部３７よりも小さく形成され、上方部３８と下方部３７との境界に、直径の相違によって形成された境界部３９が形成されている。上方部３８はバネ部３６が通され、境界部３９にバネ部３６が係止されている。
【００３７】
上記のとおり構成されたロック本体部２９およびロックガイド部３５は、以下の様に取り付けられている。すなわち、図４に示されているとおり、ロックガイド部３５は、下方部３７が背もたれ部１の仕切板３を上方から下方に向けて貫通して先端が偏心シャフト４２に接触した状態で仕切板３に取り付けられ、上方部３８にバネ部３６が取り付けられている。上方部３８の左右側に板状のスペーサ４が配置され、このスペーサ４は背もたれ部１および仕切板３に取り付けられている。ロック本体部２９は、フランジ部３１にロックガイド部３５の上方部３８が下方から上方に向けて貫通すると共にバネ部３６が圧縮した状態で、取付片３４を介してスペーサ４に取り付けられている。フランジ部３１を貫通した上方部３８は、先端にナット部４０が取り付けられている。なお、スペーサ４は、背もたれ部１および仕切板３と共に一体に成形されていてもよい。
【００３８】
＜可動第１アーム部＞
図６に示されているとおり、可動第１アーム部１１は、板状に形成された長手の部材であり、一端側（背もたれ部１に連結される側）に、第１ロック部２７（ロック本体部２９）の把持部１３０に把持される第１アーム軸部１３が形成されている。第１アーム軸部１３は、左側方（図６において右下方向）に向けて突出し、円柱状に形成されている。可動第１アーム部１１の他端側（第１アーム軸部１３の反対側であって連結軸部２１が連結される側）は環状に形成され、内側に連結軸部２１が挿入されて連結されている。
【００３９】
＜可動第２アーム部＞
可動第２アーム部１２は、第２ロック部２８（ロック本体部２９）の把持部３０に把持される第２アーム軸部１４と、この第２アーム軸部１４に連結された平行リンク１６と、この平行リンク１６が連結されると共に、可動第１アーム部１１の他端側に連結された連結軸部２１と、この連結軸部２１に連結された第２アーム本体部２３とから構成されている。
【００４０】
第２アーム軸部１４は、円柱状に形成され、外周の一部に円板状のアーム軸円板部１５が取り付けられている。連結軸部２１は、円柱状に形成され、右側端（図６において左側）に円板状の連結軸円板部２２が取り付けられている。平行リンク１６は、長手に形成された第１リンク部材１７および第２リンク部材１８から構成され、片方にターンバックル１９が取り付けられている。平行リンク１６は、互いに平行な状態で、それぞれの一端側（第２アーム軸部１４に連結される側）が第２アーム軸部１４のアーム軸円板部１５に連結され、それぞれの他端側（連結軸部２１が連結される側）が連結軸部２１の連結軸円板部２２に連結されている。各リンク部材１７，１８同士は、リンクバネ部材２０によって連結されている。第２アーム本体部２３は、板状に形成された長手の部材であり、他端側（連結軸部２１が連結される側）が円板状に形成され、一端側（他端側の反対側であって枕部２が連結される側）に枕部２が連結されている（図４参照）。第２アーム本体部２３の他端側は、可動第１アーム部１１の他端側に連結された連結軸部２１が、環状のブッシュ２４、環状のハードロックナット２５、環状のベアリングナット用スパナ２６を介して連結されている。
【００４１】
上記のとおり構成された可動第１アーム部１１および可動第２アーム部１２は、以下の様に取り付けられている。すなわち、図３に示されているとおり、各アーム部１１，１２は、第１アーム軸部１３と第２アーム軸部１４とが同一軸上に揃えられると共に、第１アーム軸部１３が第１ロック部２７の把持部１３０によって把持され、第２アーム軸部１４が第２ロック部２８の把持部３０によって把持されている。
【００４２】
上記のとおり、枕位置固定装置１０が構成されている。次に、枕位置固定装置１０の動作を図面に基づいて説明する。図７は、右側方から視した本発明の実施形態に係る枕位置固定装置１０の動作が示され、（ａ）が、第２ロック部２８が作動して可動第２アーム部１２が停止した状態、（ｂ）が、各アーム部１１，１２の停止が解除された状態である。なお、第１ロック部２７と第２ロック部２８の動作は同じであり、同時に作動するため、以下では第２ロック部２８の動作についてのみ説明し、第１ロック部２７の動作の説明を省略する。
【００４３】
各ロック部２７，２８が作動して各アーム部１１，１２が停止した状態は、以下の様に実現される。すなわち、図７（ａ）に示されているとおり、ピストン部材４６が下方に配置されてシリンダー４４が収縮した状態であり、ロックガイド部３５の境界部３９と下方側フランジ部３３との間で圧縮されて挟まれたバネ部３６の復元力によって、ロックガイド部３５が下方に押し下げられると共に、把持部３０の復元力に反発して上方側フランジ部３２がナット部４０を介して下方に押し下げられている。各フランジ部３２，３３は、圧縮されたバネ部３６とナット部４０との間に挟まれて間隔が狭められると共に把持部３０が閉じられている。そのため、把持部３０によって把持された各アーム部１１，１２のアーム軸部１３，１４が締め付けられ、各アーム部１１，１２の動きがいずれも停止している。
【００４４】
ロック部２８が作動して各アーム部１１，１２の停止が解除された状態は、以下の様に実現される。すなわち、図７（ｂ）に示されているとおり、ピストン部材４６が上方に移動してシリンダー４４が伸張すると、ピストン部材４６に連結された連結部材４１が回転（図７において時計回りに回転）すると共に、連結部材４１に連結された偏心シャフト４２が回転する。ロックガイド部３５は、偏心シャフト４２に接触しているため、偏心シャフト４２の回転に伴って、偏心部４３によってバネ部３６の復元力に反発して上方に押し上げられる。同時に、圧縮されたバネ部３６とナット部４０との間に挟まれた各フランジ部３２，３３は、上方側フランジ部３２が把持部３０の復元力によって下方側フランジ部３３から離れ、各フランジ部３２，３３の間隔が元の状態に戻ると共に把持部３０が開く。そのため、把持部３０によって把持された各アーム部１１，１２の各アーム軸部１３，１４が把持部３０から開放され、各アーム部１１，１２は、各アーム軸部１３，１４を軸にして任意の角度までそれぞれ回転する。
【００４５】
この状態において、枕部２を動かすと、各アーム部１１，１２が枕部２に追従して連動する。すなわち、図４（ａ）において、可動第１アーム部１１は、第１ロック部２７の把持部１３０によって把持された第１アーム軸部１３を軸として回転する。一方、図４（ｂ）において、可動第２アーム部１２は、第２アーム本体部２３が、連結軸部２１を軸に回転すると、第２アーム本体部２３の回転に伴って連結軸部２１が回転する。連結軸部２１に連結された平行リンク１６は、各リンク部材１７，１８がずれて互い違いの方向に移動する。平行リンク１６が連結された第２アーム軸部１４は、平行リンク１６によって連結軸部２１に追従して回転する。この様に、各アーム部１１，１２は、同一軸上に揃えられた各アーム軸部１３，１４を軸として任意に同時に回転し、枕部２が任意の位置に移動する。
【００４６】
再び各ロック部２７，２８が作動すると各アーム部１１，１２が同時に停止する。すなわち、図７（ａ）に示されているとおり、ピストン部材４６が下方に移動してシリンダー４４が収縮すると、ピストン部材４６に連結された連結部材４１が回転（図７において反時計回りに回転）すると共に、連結部材４１に連結された偏心シャフト４２が回転する。偏心シャフト４２に接触したロックガイド部３５は、偏心シャフト４２の回転に伴って偏心部４３が離れ、バネ部３６の復元力によって下方に押し下げられる。同時に、圧縮されたバネ部３６とナット部４０との間に挟まれた各フランジ部３２，３３は、把持部３０の復元力に反発して上方側フランジ部３２が撓んで下方側フランジ部３３に近接すると共に把持部３０が閉じる。そのため、把持部３０によって把持された各アーム部１１，１２の各アーム軸部１３，１４が締め付けられ、各アーム部１１，１２の動きが同時に停止する。
【００４７】
次に、本実施形態の効果を説明する。
【００４８】
上記したとおり、本実施形態によれば、シリンダー４４は、ピストン部材４６が上方に向けて移動する向きで配置され、ピストン部材４６の先端に、シリンダー４４に対して交差する方向に偏心シャフト４２が連結部材４１を介して連結されている。偏心シャフト４２の左端側の上方は、第１ロック部２７が配置され、一方、右端側の上方は、第２ロック部２８が配置されている。各ロック部２７，２８の間には、可動第１アーム部１１および可動第２アーム部１２が互いに連結して配置され、可動第１アーム部１１が第１ロック部２７に連結され、可動第２アーム部１２が第２ロック部２８に連結されている。
【００４９】
各ロック部２７，２８は、ロック本体部２９の把持部３０，１３０が、側面から視してほぼ“Ｃ字”状に形成され、内側に形成された空隙に、各アーム軸部１３，１４が取り付けられている。また、“Ｃ字”状のうち、開放された側は、一対のフランジ部３１が連接され、下方側フランジ部３３と上方側フランジ部３２とがそれぞれ板状に形成されて互いに対面している。一方、ロックガイド部３５は、下方部３７の先端が偏心シャフト４２に接触し、上方部３８にバネ部３６が取り付けられている。ロック本体部２９は、フランジ部３１にロックガイド部３５の上方部３８が下方から上方に向けて貫通すると共にバネ部３６が圧縮した状態で取り付けられている。フランジ部３１を貫通した上方部３８は、先端にナット部４０が取り付けられている。
【００５０】
すなわち、シリンダー４４が駆動することで、ロックガイド部３５は、偏心シャフト４２の回転に伴って偏心部４３が離れ、バネ部３６の復元力によって下方に押し下げられる。同時に、圧縮されたバネ部３６とナット部４０との間に挟まれた各フランジ部３２，３３は、把持部３０，１３０の復元力に反発して上方側フランジ部３２が撓んで下方側フランジ部３３に近接すると共に把持部３０，１３０が閉じる。そのため、偏心シャフト４２に連動して各アーム軸部１３，１４が、それぞれロック部２７，２８によって把持され、各アーム部１１，１２の動きが同時に停止する。したがって、単一のシリンダー４４で同時に動きを停止することで、枕部２を任意の位置に配置することができる。
【００５１】
本実施形態によれば、平行リンク１６は、それぞれの一端側が第２アーム軸部１４のアーム軸円板部１５に連結され、それぞれの他端側が連結軸部２１の連結軸円板部２２に連結されている。第２アーム本体部２３は、一端側に枕部２が連結され、他端側に、可動第１アーム部１１の他端側に連結された連結軸部２１が連結されている。各アーム部１１，１２は、各アーム軸部１３，１４が同一軸上に揃えられると共に、第１アーム軸部１３が第１ロック部２７の把持部１３０によって把持され、第２アーム軸部１４が第２ロック部２８の把持部３０によって把持されている。
【００５２】
この構成により、連結された各アーム部１１，１２を任意に別々に作動させることができる。また、省スペース化を実現することができ、枕部２の周辺を小型に設計することができる。したがって、医者や看護師が、患者の頭部を支える場合などにおいて耳鼻科用診療椅子５０の周囲で作業をし易くすることができる。
【００５３】
本実施形態によれば、背もたれ部１は、シリンダー４４と、このシリンダー４４のピストン部材４６に連結された偏心シャフト４２と、この偏心シャフト４２に連動する第１ロック部２７および第２ロック部２８とが、背面に備えられている。
【００５４】
すなわち、各部が背もたれ部１に備えられたことによって、枕部２の周辺を小型に設計することができる。したがって、医者や看護師が、患者の頭部を支える場合などにおいて耳鼻科用診療椅子５０の周囲で作業をし易くすることができる。
【００５５】
本実施形態によれば、可動第１アーム部１１は、一端側に、第１ロック部２７の把持部１３０に把持される第１アーム軸部１３が形成されている。第１アーム軸部１３は円柱状に形成されている。また、可動第２アーム部１２は、第２ロック部２８の把持部３０に把持される第２アーム軸部１４が備えられている。第２アーム軸部１４は円柱状に形成されている。
【００５６】
すなわち、各アーム軸部１３，１４が円柱状であるため、任意の角度で把持されることで、各アーム部１１，１２の動きが任意の位置で停止する。したがって、枕部２を任意の位置に配置することができ、細かい微調整が可能となる。
【００５７】
本実施形態によれば、枕部２の両端にシリンダー４４を駆動させるスイッチが備えられている。この構成により、医者や看護師が枕部２を手で把持して可動させつつシリンダー４４のスイッチを操作することができる。したがって、作業をし易くすることができる。
【００５８】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５９】
１                背もたれ部
２                枕部
３                仕切板
４                スペーサ
５                突出部
１０              枕位置固定装置
１１              可動第１アーム部
１２              可動第２アーム部
１３              第１アーム軸部
１４              第２アーム軸部
１５              アーム軸円板部
１６              平行リンク
１７              第１リンク部材
１８              第２リンク部材
１９              ターンバックル
２０              リンクバネ部材
２１              連結軸部
２２              連結軸円板部
２３              第２アーム本体部
２４              ブッシュ
２５              ハードロックナット
２６              ベアリングナット用スパナ
２７              第１ロック部
２８              第２ロック部
２９              ロック本体部
３０，１３０      把持部
３１              フランジ部
３２              上方側フランジ部
３３              下方側フランジ部
３４              取付片
３５              ロックガイド部
３６              バネ部
３７              下方部
３８              上方部
３９              境界部
４０              ナット部
４１              連結部材
４２              偏心シャフト（連動部）
４３              偏心部
４４              シリンダー（駆動部）
４５              シリンダー部材
４６              ピストン部材
５０              耳鼻科用診療椅子
５１              座部
５２              背もたれ部本体
【図１】
0006537350.tif 000002
【図２】
0006537350.tif 000003
【図３】
0006537350.tif 000004
【図４】
0006537350.tif 000005
【図５】
0006537350.tif 000006
【図６】
0006537350.tif 000007
【図７】
0006537350.tif 000008